(57)【特許請求の範囲】
【請求項１】
斜設したハーフミラーによる反射光として情報を表示することのできる第１の表示器と、前記ハーフミラーの背後から透過光として情報を表示することのできる第２の表示器とを備え、前記第１，第２の表示器を同時に表示状態とすることによって前記反射光と前記透過光とによる合成表示を可能にした遊技機用の表示装置であって、さらに、以下の構成をも備えたことを特徴とする遊技機用表示装置。
（１−１）  前記斜設されたハーフミラーの背面側の領域内において、前記第２の表示器の前面側で動作をすることのできる可動体を備えていること。
（１−２）  前記可動体を、遊技者が前方から視認できない没入位置に待機させると共に、必要に応じて、前記没入位置から、遊技者が前方から視認できる突出位置へと移動させ、該突出位置において前記動作を行わせる可動体駆動手段を備えていること。
（１−３）  前記ハーフミラーの背面側の領域内において、前記動作を行っている可動体を、当該可動体の前方下方から照射する照明手段を備えていること。
（２−１）  前記ハーフミラーを後ろ傾斜に斜設し、前記第１の表示器を該ハーフミラーの上方に下向きに光を放つ様に設置すると共に、前記第２の表示器を該ハーフミラーの背後から前方へ光を放つ様に設置したこと。
（２−２）  前記可動体駆動手段を、前記可動体を回動動作させることによって前記没入位置と突出位置の間で前記可動体を移動させる可動体回動手段と、該可動体回動手段によって突出位置に回動させられた可動体を当該突出位置において動作させる可動体動作手段とを備えるものとして構成したこと。
（５−１）  前記可動体として複数の可動体を備え、前記可動体動作手段が、各可動体が突出位置に回動されたときに各可動体と個別に当接するカム機構を備えた回転軸を回転させることにより、前記複数の可動体に異なる動作を実行させる手段として構成されていること。
【請求項２】
さらに以下の構成をも備えたことを特徴とする請求項１記載の遊技機用表示装置。
（６−１） 前記可動体、可動体駆動手段及び照明手段をユニット化し、該ユニットを表示装置の筐体底面に対して弾性係合部材を介して着脱可能に構成したこと。
（６−２） 前記ユニットの背面側上縁部又は前記筐体の背面側下縁部に、相手側の背面と重なる凸部を設け、該凸部の背面側からネジ止め可能に構成したこと。
【請求項３】
さらに以下の構成をも備えたことを特徴とする請求項２記載の遊技機用表示装置。
（６−３）  前記ユニット化された可動体のユニットは、前記可動体、可動体駆動手段及び照明手段をケースに取り付け、前記表示装置に対して前記ケースごと着脱可能な可動体ユニットとして構成されていること。
（６−４）  前記表示装置の本体ケースは下方が開放されており、前記可動体ユニットのケースを下方から受け入れて当該表示装置の筐体底面に対して組み付けることが可能に構成されていること。
（６−３）  前記可動体ユニットのケースには、その底面前側に下方に飛び出す様に係合突起を突設すると共にその背面の上縁近くの左右に外へ飛び出す様にビス留め部を突設し、前記表示装置の本体ケースの下部に前記可動体ユニット側の係合突起と弾性係合し得る係合爪を後方に伸びる様に突設すると共に、該係合爪を前記可動体ユニット側の係合突起と係合させた状態で、前記表示装置の本体ケースの背面下縁部が前記可動体ユニット側のビス留め部と重なる部分にビス孔を形成し、前記可動体ユニット側の係合突起と前記表示装置側の係合爪を係合させた状態で、前記表示装置の本体ケースと前記可動体ユニットのケースとを前記ビス孔及びビス留め部を介してビスで固定する構成としたこと。
【請求項４】
さらに以下の構成をも備えたことを特徴とする請求項１〜３のいずれか記載の遊技機用表示装置。
（７−１）  前記表示装置は、前記斜設されたハーフミラーよりも前方に、合わせ鏡の間の空間に光を照射する光源を備えた電飾装置を備えていること。
（７−２）  前記合わせ鏡は、内壁及び外壁を遮光されたリング状空間の奥にリング状ミラーを配置し、前側にリング状ハーフミラーを対面配置して構成されていること。
（７−３）  前記光源は、前記リング状空間の外壁又は内壁から突出する様に、該外壁又は内壁に沿って周回方向に並べて多数配列されていること。
（７−４）  前記リング状空間は、その中心の円形開口部分を介して、前記斜設されたハーフミラーを利用した前記第１の表示器の表示演出、前記第２の表示器の表示演出及び前記可動体の可動演出を前方から視認可能となる様に、前記斜設されたハーフミラーの前方に備えられていること。
【発明の詳細な説明】
【技術分野】
【０００１】
本発明は、パチンコ機、アレンジボール機、雀球機、メダルを用いたスロットマシン、球を用いたスロットマシン等の遊技機用の図柄等の表示装置に関する。
【背景技術】
【０００２】
従来、パチンコ機において、二組の７セグメントＬＥＤとハーフミラーとを備え、一方の７セグメントＬＥＤのみを点灯することにより、ハーフミラーに投影された情報とハーフミラーを透過する情報とを切り替え可能にすると共に、両方の７セグメントＬＥＤを点灯させることによってハーフミラーに反射した情報とハーフミラーを透過した情報を合成表示できる様にした表示装置が知られている（特許文献１）。
【０００３】
また、７セグメントＬＥＤと、ハーフミラーと、ドットマトリクスＬＥＤと、ミラーアップ機構とを備え、通常時にはドットマトリクスＬＥＤのテロップ表示のみを定常位置のハーフミラーに投影表示し、始動口入賞時にはハーフミラーをミラーアップ位置に退避して７セグメントＬＥＤによる図柄表示のみを視認可能な状態とし、大当たり時にはハーフミラーを再び定常位置に復帰させてドットマトリクスＬＥＤによる大当たりテロップを７セグメントＬＥＤの最終表示図柄の前方に浮き上がった様に遊技者に視認させる構造となっているものもある（特許文献２）。
【特許文献１】特開平２−５７２７８号公報（図４〜図６）
【特許文献２】特開平１０−３０５１４０号公報（図２〜図４）
【発明の開示】
【発明が解決しようとする課題】
【０００４】
これら特許文献１，２の表示装置によれば、７セグメントＬＥＤやドットマトリクスＬＥＤにより、合成表示が可能になり、それなりの演出効果を発揮できるものの、近年の遊技機の演出効果に比べると、意外性が少なく、盛り上がりに欠けるという問題がある。
【０００５】
そこで、本願は、遊技機の表示装置において、演出効果を十分に高めることを目的とする。
【課題を解決するための手段】
【０００６】
上記目的を達成するためになされた本発明の遊技機用表示装置は、斜設したハーフミラーによる反射光として情報を表示することのできる第１の表示器と、前記ハーフミラーの背後から透過光として情報を表示することのできる第２の表示器とを備え、前記第１，第２の表示器を同時に表示状態とすることによって前記反射光と前記透過光とによる合成表示を可能にした遊技機用の表示装置であって、さらに、以下の構成をも備えたことを特徴とする。
（１−１）  前記斜設されたハーフミラーの背面側の領域内において、前記第２の表示器の前面側で動作をすることのできる可動体を備えていること。
（１−２）  前記可動体を、遊技者が前方から視認できない没入位置に待機させると共に、必要に応じて、前記没入位置から、遊技者が前方から視認できる突出位置へと移動させ、該突出位置において前記動作を行わせる可動体駆動手段を備えていること。
（１−３）  前記ハーフミラーの背面側の領域内において、前記動作を行っている可動体を、当該可動体の前方下方から照射する照明手段を備えていること。
（２−１）  前記ハーフミラーを後ろ傾斜に斜設し、前記第１の表示器を該ハーフミラーの上方に下向きに光を放つ様に設置すると共に、前記第２の表示器を該ハーフミラーの背後から前方へ光を放つ様に設置したこと。
（２−２）  前記可動体駆動手段を、前記可動体を回動動作させることによって前記没入位置と突出位置の間で前記可動体を移動させる可動体回動手段と、該可動体回動手段によって突出位置に回動させられた可動体を当該突出位置において動作させる可動体動作手段とを備えるものとして構成したこと。
（５−１）  前記可動体として複数の可動体を備え、前記可動体動作手段が、各可動体が突出位置に回動されたときに各可動体と個別に当接するカム機構を備えた回転軸を回転させることにより、前記複数の可動体に異なる動作を実行させる手段として構成されていること。
【０００７】
この遊技機用表示装置によれば、可動体駆動手段は、常時は、可動体を遊技者が前方から視認できない待機位置に待機させておく。そして、リーチ等の際の遊技者の期待感を高める場合など、必要に応じて待機位置から遊技者が前方から視認できる位置に移動させて、ハーフミラーの背面領域において動作を行わせる。この際、照明手段が可動体を照射する。従って、動作している可動体に反射した光がハーフミラーを透過して遊技者に視認可能な状態となる。可動体の動作は、表示器による可変表示やテロップ表示では発揮できない様な演出効果となる。なお、照明手段は、可動体の移動開始前に点灯させたり、可動体の移動開始と共に点灯させたりすることで、図柄組み合わせゲームにおけるステップアップを予感させる様な演出効果を発揮することもできる。また、逆に、照明手段を点灯する前に可動体を移動させることで、うっすらと影の如く登場する可動体による意外な演出効果も発揮することができる。
【０００８】
ここで、表示器としては、７セグメントＬＥＤ、ドットマトリクスＬＥＤ、蛍光表示管、液晶ディスプレイ等、それ自身が光を放つと共に情報を変化させるタイプの表示器を用いると効果的である。また、第１の表示器は、ハーフミラーに対して直接的に情報を投影する様に配置してもよいし、さらに別のミラー又はハーフミラーを用いて反射光を投影させる様に配置することもできる。なお、ハーフミラーによる反射光を発生させる表示器については、カバーで覆ってハーフミラーへの光の写り込みを防止ししておくとよい。また、ハーフミラーによる透過光を発生させる表示器として７セグメントＬＥＤを用いるときは、ＬＥＤ周縁をマスクして、表示がくっきりと鮮明に見える様にしておくとよい。
【００１０】
近年の遊技機では、図柄表示に加えて可動体を図柄表示領域内に出没させる等の演出が行われている。しかしながら、これらは、いずれも図柄表示装置の上方からあるいはサイドから出没するもので、下方から迫り上がる様な動作をするものはない。これに対し、ハーフミラーをハーフミラーを後ろ傾斜に斜設し、可動体駆動手段を、可動体に動作をさせる際に可動体を下方から上方へと移動させる手段として構成することで、可動体が下方から迫り上がるという意外性の高い動作を実行することができる。
【００１１】
可動体を複数備え、それらが、例えば、ある物は上下に飛び跳ねる様な動作をし、他の物は左右に揺れる様な動作をするなどさせることで、バラエティに富んだ動作による演出効果アップを図ることができる。例えば、３体の可動体を備えて、中央のものを上下に、サイドのものを左右に揺動させる様にすると、ハーフミラーの背面の領域を有効に利用してダイナミックな動作をさせることができる。この場合、３体の可動体は、大きさを変えておいてもよい。特に、動作の方向に基づき、上下動、前後動、前後揺動などをさせる可動体はハーフミラーとの衝突・接触を避ける様に小さめとし、左右動や左右揺動などをさせる可動体は大きめとしておくことができる。このことから、可動体の大きさから可動体の動作方向を決める手法を採用してもよいということもできる。また、動作とは無関係に、複数の可動体の大きさを変える様にしても構わない。
【００１２】
また、ハーフミラーの背面側に可動体を登場させる構成は、従来の遊技機における可動体の登場の仕方と、次の点で異なる。即ち、先に説明した様に、照明手段による照射を行う前に可動体を登場させ、その後照明を当てることで、いきなりスポットライトを浴びて可動体が登場するといった演出も可能になるのである。その意味において、上述した各発明の遊技機用表示装置には、従来にない意外性の高い演出効果が期待できるのである。また、逆に、照明を当てずに迫り上がらせる場合には、「気配」という今までにない演出効果が発揮できる。
【００１３】
なお、上述した各発明の遊技機用表示装置における可動体の動作としては、前述した揺動に限らず、摺動、回動、さらには、出没自体も演出効果として有効なものである。
【００１４】
また、遊技機においては、一般的に、表示装置の下方に始動口が配置されているので、遊技者は通常、表示装置〜始動口間に視線をおいている。そのため、例えば、表示装置の上部に可動体が設けられている場合は、可動体が動作してもその動作に気付かないこともある。しかし、本発明において、特に、ハーフミラーを後傾状態に配置して下方から可動体を登場させる構成を採用することで、可動体が動作したことを遊技者が見逃すことがなく、これによって演出効果を有効に機能させることができる。加えて、この様な可動体を下方から登場させる構成でありながらも、ハーフミラーによって遊技球が可動体に衝突することを防止でき、可動体が磨耗等の損傷を被ることもない。従って、装飾性が高く、複雑な動作をする可動体を採用することができる。
【００１５】
なお、上述した各発明の遊技機用表示装置において、さらに以下の構成をも備える様にするとよい。
（６−１） 前記可動体、可動体駆動手段及び照明手段をユニット化し、該ユニットを表示装置の筐体底面に対して弾性係合部材を介して着脱可能に構成したこと。
（６−２） 前記ユニットの背面側上縁部又は前記筐体の背面側下縁部に、相手側の背面と重なる凸部を設け、該凸部の背面側からネジ止め可能に構成したこと。
【００１６】
この場合、さらに以下の構成をも備えるとよい。
（６−３）  前記ユニット化された可動体のユニットは、前記可動体、可動体駆動手段及び照明手段をケースに取り付け、前記表示装置に対して前記ケースごと着脱可能な可動体ユニットとして構成されていること。
（６−４）  前記表示装置の本体ケースは下方が開放されており、前記可動体ユニットのケースを下方から受け入れて当該表示装置の筐体底面に対して組み付けることが可能に構成されていること。
（６−３）  前記可動体ユニットのケースには、その底面前側に下方に飛び出す様に係合突起を突設すると共にその背面の上縁近くの左右に外へ飛び出す様にビス留め部を突設し、前記表示装置の本体ケースの下部に前記可動体ユニット側の係合突起と弾性係合し得る係合爪を後方に伸びる様に突設すると共に、該係合爪を前記可動体ユニット側の係合突起と係合させた状態で、前記表示装置の本体ケースの背面下縁部が前記可動体ユニット側のビス留め部と重なる部分にビス孔を形成し、前記可動体ユニット側の係合突起と前記表示装置側の係合爪を係合させた状態で、前記表示装置の本体ケースと前記可動体ユニットのケースとを前記ビス孔及びビス留め部を介してビスで固定する構成としたこと。
【００１７】
上述した様に、ハーフミラーの背面に出没する可動体を備える上で、ユニット化によってその組み立てやメンテナンスを容易に実施可能になる。
【００１８】
（６−２）の構成をも採用することで、下方からの取付であるにも拘わらず、固定作業は背面からの作業で済み、より一層、組み立てやメンテナンスを容易にしている。
【００１９】
なお、可動体駆動手段は、可動体を後ろに倒れた状態から前方へと立ち上がらせ、立ち上がった後に、前述した様な動作を実行させる回転軸とカム機構とを利用したものとしておくとよい。この様な構造とすることで、ユニット化も容易となる。
【００２０】
さらに以下の構成をも備えることができる。
（７−１）  前記表示装置は、前記斜設されたハーフミラーよりも前方に、合わせ鏡の間の空間に光を照射する光源を備えた電飾装置を備えていること。
（７−２）  前記合わせ鏡は、内壁及び外壁を遮光されたリング状空間の奥にリング状ミラーを配置し、前側にリング状ハーフミラーを対面配置して構成されていること。
（７−３）  前記光源は、前記リング状空間の外壁又は内壁から突出する様に、該外壁又は内壁に沿って周回方向に並べて多数配列されていること。
（７−４）  前記リング状空間は、その中心の円形開口部分を介して、前記斜設されたハーフミラーを利用した前記第１の表示器の表示演出、前記第２の表示器の表示演出及び前記可動体の可動演出を前方から視認可能となる様に、前記斜設されたハーフミラーの前方に備えられていること。
【００２１】
（７−１）〜（７−４）に加えて以下の構成をも備えることができる。
（７−５）  前記電飾装置は、前記リング状空間の中心の円形開口部分が前方に膨らんだ形状で、該膨らんだ形状の部分の外周に平板状のリング部を備えるレンズ部材を前面に備えていること。
【００２２】
（７−１）〜（７−５）に代えて、以下の構成を備えることもできる。
（８−１）  前記表示装置には、前記斜設されたハーフミラーを利用した前記第１の表示器の表示演出、前記第２の表示器の表示演出及び前記可動体の可動演出を前方から視認可能で前方に膨らんだ形状の円形のレンズ部材が備えられていること。
（８−２）  前記レンズ部材は、前記膨らんだ形状の部分の外周に平板状の部分を備え、該平板状の部分の背後に、前記膨らんだ形状の部分を取り囲む様に、奥側に組み付けられたリング状のミラーと前端側に組み付けられたリング状のハーフミラーとによるリング状の合わせ鏡が備えられていること。
（８−３）  前記合わせ鏡の間に、所定間隔でＬＥＤランプが突設された帯状のＬＥＤ基板を内側にＬＥＤランプを突設させる様に湾曲させて組み付けてあること。
【発明の効果】
【００２３】
本発明によれば、従来の遊技機にはない演出効果が発揮され、より一層、遊技性を高めることができる。特に、ハーフミラーの背後で可動体を動作させる構成により、スポットライト効果、突然の可動体登場の効果、可動体登場の予感などといった従来の遊技機には全くなかった演出効果が発揮できる。
【発明を実施するための最良の形態】
【００２４】
以下、本発明を具体化した実施形態を説明する。実施形態は、図１に示す様なパチンコ機の遊技盤１の情報表示装置３である。
【００２５】
まず、遊技盤１について簡単に説明する。遊技盤１の前面中央には本発明を具体化した情報表示装置３が配置されている。この情報表示装置３のすぐ下には始動入賞口１１が配置されていて、該始動入賞口１１に遊技球が入賞すると情報表示装置３に表示される図柄が変動を開始する。そのため、情報表示装置３、始動入賞口１１、及び情報表示装置３と始動入賞口１１との間は、遊技者が注目する場所となっている。また、遊技盤１には、これら部品の他に、図示を省略した障害釘に加えて、情報表示装置３を取り巻く様に配置される大型装飾部品１２、始動入賞口１１の下方に配置される特別入賞口１３、盤面の左右上下に配置される案内車１４、盤面最下部に配置されるアウト口１５、アウト口１５の左右上方に配置される普通入賞口１６等の各種の部品が取り付けられている。なお、本実施形態では、前記部品のうち、障害釘を除く、始動入賞口１１、大型装飾部品１２、案内車１４、普通入賞口１６のような遊技盤１の表面から突出しており、遊技球の流下軌道に影響を与える可能性のあるものを役物という。遊技盤１の前面側には、これら障害釘や役物等を取り囲む様に誘導レール１７が取り付けられている。この誘導レール１７により、遊技盤１の遊技領域が形成される。また、誘導レール１７の外側を取り囲む様にコーナー飾り１８が取り付けられている。
【００２６】
実施形態の情報表示装置３は、図２，図３，図５に示す様に、筐体である本体ケース３１と、本体ケース３１内に後方を高く斜設したハーフミラー３２と、演出表示制御基板３３と、演出表示ドライバー基板３４と、本体ケース３１の上面であってハーフミラー３２の上方に配置されて下方に向かって光を放つ蛍光表示ユニット２０（第１の表示器）と、本体ケース３１の奧面であってハーフミラー３２の背面側に配置されて前方へ向かって光を放つ７セグメントＬＥＤ表示ユニット３０（第２の表示器）と、本体ケース３１の底面であってハーフミラー３２の背面側に配置される可動体ユニット４０と、本体ケース３１の前面であってハーフミラー３２の前面側に配置されるサークルレンズ８０とを備えている。
【００２７】
蛍光表示ユニット２０は、図２〜図４に示す様に、ケース２１と、蛍光表示ユニット基板２２と、蛍光表示管２３と、蛍光表示管２３を覆うカバー２４とから構成されている。この蛍光表示ユニット２０は、図１８（Ｂ）に示した「リーチ」のテロップやキャラクタの画像などをドットマトリクスによって表示する。この蛍光表示ユニット２０による表示は、図３に示す様に、ハーフミラー３２に反射されて前方の遊技者に視認される。なお、蛍光表示管２３をカバー２４で覆うことにより、外部から情報表示装置３の筐体内へ光が侵入するのを遮断し、ハーフミラー３２への光の写り込みを防止している。
【００２８】
７セグメントＬＥＤ表示ユニット３０は、図３に示す様に、演出表示用のフルカラー７セグメントＬＥＤ３５と、演出表示７セグメントＬＥＤ基板３６とから構成されている。この７セグメントＬＥＤ表示ユニット３０は、３桁の数字（図柄）を変動させて図柄表示装置としての演出表示を実行する。この７セグメントＬＥＤ３０による表示は、図３に示す様に、ハーフミラー３２を透過して前方の遊技者に視認される。なお、フルカラー７セグメントＬＥＤ３５は、ＬＥＤの周縁をマスクすることによって、表示がくっきりと見える様にしてある。なお、パチンコ機の背面に設けられた主制御基板に、演出表示制御基板３３が電気的に接続され、該演出表示制御基板３３に、演出表示ドライバー基板３４が電気的に接続されている。この演出表示ドライバー基板３４に対して、蛍光表示ユニット基板２２（蛍光表示管２３）と、演出表示７セグメントＬＥＤ基板３６（フルカラー７セグメントＬＥＤ３５）とが、それぞれ電気的に接続されている。そして、主制御基板から送信された制御信号に基づいて、演出表示制御基板３３が、蛍光表示管２３及びフルカラー７セグメントＬＥＤ３５に演出表示させる様に制御を実行する。
【００２９】
可動体ユニット４０は、ハーフミラー３２の背面側の領域内において動作をすることができ、動作前の待機位置は、図３，図７に示す様に、下方の没入位置にあり、遊技者が前方から視認できない位置となっている。そして、動作時には、図２，図８に示す様に、後方から前方へ回動して起きあがり、遊技者が前方から視認可能な突出位置に出現する様に構成されている。
【００３０】
この可動体ユニット４０は、図６に示す様に、ケース４１と、３体の演出用可動体４２Ｌ，４２Ｃ，４２Ｒと、演出用可動体昇降用モータ原位置上スイッチ４３Ｕ及び演出用可動体昇降用モータ原位置下スイッチ４３Ｄを実装した演出用可動体昇降用モータ原位置スイッチ基板４６と、演出可動体昇降用モータ４４と、演出用可動体駆動用モータ４５と、演出用可動体駆動用モータ原位置スイッチ７３を実装した演出用可動体駆動用モータ原位置スイッチ基板４７とを備えている。左，中，右の３体の演出用可動体４２Ｌ，４２Ｃ，４２Ｒは、昇降して起き上がった状態において、カムとバネの作用により、左右２体の演出用可動体４２Ｌ，４２Ｒは左右に揺動し、中央１体の演出用可動体４２Ｃは上下に揺動する動作を行う。この演出用可動体４２Ｌ，４２Ｃ，４２Ｒの動作状況は、各可動体の直前に斜め後方に光を照射する様に配置された照明用ＬＥＤ４８Ｌ，４８Ｃ，４８Ｒによってライトアップされ、ハーフミラー３２を通して前方の遊技者に視認可能な状態となる。また、中央１体の演出用可動体４２Ｃは、左右２体の演出用可動体４２Ｌ，４２Ｒよりも、小さなフィギュアによって構成されている。これは、中央の演出用可動体４２Ｃは上下方向に揺動することから、斜設されたハーフミラー３２に衝突しない様にするためである。これに対し、左右２体の演出用可動体４２Ｌ，４２Ｒは、障害物のない方向への動作であるから、大きめにして動きをダイナミックにしたのである。
【００３１】
また、可動体ユニット４０は、図６に示す様に、可動体４２Ｌ，４２Ｃ，４２Ｒ、駆動手段４３〜４７，５１〜５６，６１〜６９，７１〜７３及び照明手段４８Ｌ，４８Ｃ，４８Ｒをユニット化したものとして構成され、図３に示す様に、情報表示装置３の筐体（本体ケース３１）底面に対して弾性係合部材を介して着脱可能に取り付けられる。より具体的には、可動体ユニット４０については、その底面前側に下方に飛び出す様に係合突起４９ａを突設すると共に、その背面の上縁近くに外へ飛び出す様にビス留め部４９ｂを突設した。また、情報表示装置３の本体ケース３１側には、その下部に係合突起４９ａと弾性係合し得る係合爪４９ｃを後方に伸びる様に突設すると共に、本体ケース３１背面下縁部のビス留め部４９ｂが重なる部分にビス孔を形成した。これらの構成により、可動体ユニット４０は、情報表示装置３の筐体底面側に着脱可能に取り付ける構成としたにも拘わらず、固定作業は背面からの位置決めとビス留めで済み、組み立てやメンテナンスが容易になっている。
【００３２】
次に、可動体ユニット４０の動作原理について説明する。まず、演出用可動体を昇降させる動作原理について説明する。図７〜図９に示す様に、演出用可動体昇降用モータ４４が通電されて回転すると、この演出用可動体昇降用モータ４４に組み付けられた遮光板前５１が回転する。遮光板前５１が回転すると、遮光板前５１に組み付けられた駆動ギア前５２が回転し、可動ギア前５３を回転させる。可動ギア前５３が回転すると、この可動ギア前５３に組み付けられたシャフト前５４が回転する。これにより、シャフト前５４に、３体の演出用可動体４２Ｌ，４２Ｃ，４２Ｒと対応して組み付けられているレバー５５Ｌ，５５Ｃ，５５Ｒが回転する。演出用可動体４２Ｌ，４２Ｃ，４２Ｒは、各レバー５５Ｌ，５５Ｃ，５５Ｒに組み付けられているので、このレバー５５Ｌ等の動きと同期して、シャフト前５４を中心に、奧から手前へと起き上がる。演出用可動体４２Ｌ，４２Ｃ，４２Ｒを下方の待機位置へ戻すときは、演出用可動体昇降用モータ４４を逆転させる。これにより、演出用可動体４２Ｌ，４２Ｃ，４２Ｒは、起き上がったときの軌跡を反対に回動して手前から奧へと倒れる。
【００３３】
本実施形態においては、図１０に示す様に、演出用可動体昇降用モータ４４の回転に伴って遮光板前５１が回転するとき、遮光板前５１に設けられたスリットからなる光検出部５６が演出用可動体昇降用モータ原位置上スイッチ４３Ｕに到達したときを、演出用可動体４２Ｌ，４２Ｃ，４２Ｒの倒れた状態の原位置として検出している。逆に、図１１に示す様に、遮光板前５１に設けられた光検出部５６が演出用可動体昇降用モータ原位置下スイッチ４３Ｄに到達したときを、演出用可動体４２Ｌ，４２Ｃ，４２Ｒが起き上がった状態の原位置として検出している。これらの構成により、演出用可動体昇降用モータ４４は、演出用可動体４２Ｌ，４２Ｃ，４２Ｒを、下方の待機位置と上方の突出位置との間で正しく回動動作させることができる様になっている。
【００３４】
演出用可動体４２Ｌ，４２Ｃ，４２Ｒは、下方の待機位置から上方の突出位置へと回動された後、次の様な構成によって突出位置における揺動動作を実行する。
【００３５】
演出用可動体駆動用モータ４５が通電されて回転すると、図１２〜図１４に示す様に、演出用可動体駆動用モータ４５に組み付けられた駆動ギア奧６１が回転する。すると、駆動ギア奧６１に噛み合っている可動ギア奧６２が回転し、可動ギア奧６２に組み付けられたシャフト奧６３を回転させる。こうしてシャフト奧６３が回転すると、シャフト奧６３に組み付けられている突起部６４Ｌ，６４Ｃ，６４Ｒが回転し、演出用可動体４２Ｌ，４２Ｃ，４２Ｒに組み付けられたアーム６５Ｌ，６５Ｃ，６５Ｒを押す。
【００３６】
図１２（Ａ）に示す様に、シャフト奧６３の回転に伴って、突起部（左）６４Ｌがアーム（左）６５Ｌに当接すると、アーム（左）６５Ｌは押し下げられ、演出用可動体（左）４２Ｌを内側に傾けると共に、アーム（左）６５Ｌに組み付けられているコイルバネ（左）６６Ｌを伸ばす。シャフト奧６３がさらに回転して、突起部（左）６４Ｌによるアーム（左）６５Ｌへの押圧力が作用しなくなると、コイルバネ（左）６６Ｌが縮んで演出用可動体（左）４２Ｌを元の位置へ復帰させる。この復帰動作の際に、コイルバネ（左）６６Ｌは、演出用可動体（左）４２Ｌの自重による慣性力の作用から、伸縮運動をする。また、演出用可動体（左）４２Ｌを支えている板バネ（左）６７Ｌも、その弾性によって屈伸運動をする。これらの作用により、図１２（Ｂ）に示す様に、演出用可動体（左）４２Ｌは、左右に揺れる様な揺動動作を実行する。
【００３７】
同様に、図１３（Ａ）に示す様に、シャフト奧６３の回転に伴って、突起部（右）６４Ｒがアーム（右）６５Ｒを押し下げる際に伸ばされたコイルバネ（右）６６Ｒが縮んで演出用可動体（右）４２Ｒを元の位置へ復帰させる際に、演出用可動体（右）４２Ｒは、その自重による慣性力の作用から、コイルバネ（右）６６Ｒを伸縮動作させると共に、支柱である板バネ（右）６７Ｒを屈伸動作させながら、図１３（Ｂ）に示す様に、左右に揺れる様な揺動動作を実行する。
【００３８】
一方、アーム（中）６５Ｃは、図１４（Ａ）に示す様に、シャフト奧６３の回転に伴って突起部（中）６４Ｃによって押し下げられ、アーム（中）６５Ｃに固定されたピン６８を下方に引き下げる。このピン６８の上端には演出用可動体（中）４２Ｃが固定されているので、演出用可動体（中）４２Ｃは下に動かされる。この際、ピン６８に組み付けられているコイルバネ（中）６９が縮められる。シャフト奧６３がさらに回転して、突起部（中）６４Ｃによるアーム（中）６５Ｃへの押圧力が作用しなくなると、コイルバネ（中）６９が伸びて演出用可動体（中）４２Ｃを元の位置へ上昇させる。この上昇動作の際に、コイルバネ（中）６９は、演出用可動体（中）４２Ｃの自重による慣性力の作用から、図１４（Ｂ）に示す様に、伸縮運動をする。これにより、演出用可動体（中）４２Ｃは、上下にジャンプする様な揺動動作を実行する。
【００３９】
本実施形態では、図１５に示す様に、シャフト奧６３が回転すると、当該シャフト奧６３に組み付けられた遮光板奧７１が回転し、遮光板奧７１に形成されたスリットからなる光検出部７２が、演出用可動体駆動用モータ原位置スイッチ７３に到達したときを、演出用可動体４２Ｌ，４２Ｃ，４２Ｒの揺動動作前の原位置として検出している。なお、前記演出表示ドライバー基板３４に対して、演出用可動体昇降用モータ原位置スイッチ基板４６（演出可動体昇降用モータ原位置上スイッチ４３Ｕ及び下スイッチ４３Ｄ）と、演出用可動体昇降用モータ４４と、演出用可動体駆動用モータ原位置スイッチ基板４７（演出用可動体駆動用モータ原位置スイッチ７３）と、演出用可動体駆動用モータ４５とが、それぞれ電気的に接続されている。そして、主制御基板から送信された制御信号に基づいて、演出表示制御基板３３が、演出用可動体昇降用モータ原位置上スイッチ４３Ｕ及び下スイッチ４３ｄと、演出用可動体駆動用モータ原位置スイッチ７３とからの位置信号を受けながら、演出用可動体昇降用モータ４４及び演出用可動体駆動用モータ４５を作動させる様に制御を実行する。
【００４０】
また、本実施形態の情報表示装置３には、さらに、図３及び図１６に示す様に、外周部分に、リング状のサークルレンズ８０を備えている。このサークルレンズ８０は、情報表示装置３の本体から前方に付き出した円筒部８１の奧に組み付けられるリング状のミラー８２と、円筒部８１の前端に組み付けられるリング状のハーフミラー８３と、これらミラー８２及びハーフミラー８３の外周に組み付けられるサークルレンズ枠８４と、このサークルレンズ枠８４の内面に半円状に湾曲させて組み付けられる帯状の２枚のＬＥＤ基板８５Ｌ，８５Ｒと、この２枚のＬＥＤ基板８５Ｌ，８５Ｒに所定間隔にて各一列ずつ突設されたＬＥＤランプ８６，８６，…とから構成されている。ミラー８２は、リング状の合成樹脂板に銀メッキを施したものである。また、このサークルレンズ８０の前面には、さらに、情報表示装置３全体の前面を覆う透明なレンズ部材８７が組み付けられている。このレンズ部材８７は、円筒部８１の内側の部分が前方へ膨らんだ形状をしており、サークルレンズ８０の前面を覆う外周部分は平板状をしている。なお、レンズ部材８７の前方へ膨らんだ部分を介して、ハーフミラー３２に映った蛍光表示管２３の表示演出と、フルカラー７セグメントＬＥＤ３５の表示演出と、起き上がった演出用可動体４２Ｌ，４２Ｃ，４２Ｒの可動演出とが、前方から視認できる。
【００４１】
サークルレンズ８０においては、ミラー８２とハーフミラー８３とによってリング状の合わせ鏡が構成されている。そして、ＬＥＤランプ８６，８６，…は、この合わせ鏡を構成するミラー８２とハーフミラー８３の中間位置に組み付けられている。この結果、ＬＥＤランプ８６，８６，…を点灯すると、合わせ鏡内で光が反射され、前方から見たときに、あたかも、奥行き方向にＬＥＤランプ８６，８６，…が何列も連なっている様に見え、遊技者に吸い込まれる様な空間的な広がりを感じさせる。
【００４２】
この合わせ鏡として構成されるサークルレンズ８０は、ミラー８２とハーフミラー８３とを対面配置し、これら対面配置したミラー８２とハーフミラー８３との間の空間に光を放射する光源を備えた電飾装置であって、以下の構成を採用したものということができる。
（ａ） 前記ミラー及びハーフミラーがリング状であって、該ミラー及びハーフミラーと、遮光された内壁及び外壁とによって、リング状空間を形成すること。
（ｂ） 前記光源は、前記リング状空間の外壁又は内壁から突出する様に、該外壁又は内壁に沿って周回方向に並べて多数配列されていること。
【００４３】
以上の構成により、奥行き方向に何列も重なって配列されている様な奥行きの深さを感じさせる演出効果を発揮することができる。
【００４４】
ここで、このサークルレンズ８０においては、ＬＥＤ基板８５Ｌ，８５Ｒを薄くして半円状に湾曲させて組み付けることから、ＬＥＤや抵抗などの電気部品の抜けが問題になる。そこで、製造工程において、ハンダが乗っていない場合や、ハンダの量が少ない場合には、基板の地肌の色であるオレンジ色（銅色）が見えるようにした。そして、画像判定機を用いてオレンジ色が見えているか否かによる良・不良判定を行った。また、このＬＥＤ基板８５Ｌ，８５Ｒにおいては、通常の回路基板よりもハンダの量を多くすると共に、電気部品の足も長くした。この様な工夫により、半円状に湾曲させることによる問題を解決している。
【００４５】
次に、本実施形態の情報表示装置３による演出表示について説明する。演出表示は、基本的には、蛍光表示ユニット２０と、７セグメントＬＥＤ表示ユニット３０と、可動体ユニット４０とによって実行される。演出表示の態様としては、図１７に示す様に、態様１〜態様５のいずれかになる。
【００４６】
［態様１］
（１）７セグメントＬＥＤ表示ユニット３０を点灯
（２）蛍光表示ユニット２０を消灯
（３）可動体ユニット４０を待機位置
（４）可動体ユニット４０の照明を消灯
【００４７】
［態様２］
（１）７セグメントＬＥＤ表示ユニット３０を減光
（２）蛍光表示ユニット２０を点灯
（３）可動体ユニット４０を待機位置
（４）可動体ユニット４０の照明を消灯
【００４８】
［態様３］
（１）７セグメントＬＥＤ表示ユニット３０を点灯
（２）蛍光表示ユニット２０を消灯
（３）可動体ユニット４０を待機位置から突出位置へ上昇
（４）可動体ユニット４０の照明を点灯
【００４９】
［態様４］
（１）７セグメントＬＥＤ表示ユニット３０を点灯
（２）蛍光表示ユニット２０を消灯
（３）可動体ユニット４０を待機位置から突出位置へ上昇させて駆動
（４）可動体ユニット４０の照明を点灯
【００５０】
［態様５］
（１）７セグメントＬＥＤ表示ユニット３０を点灯
（２）蛍光表示ユニット２０を消灯
（３）可動体ユニット４０を待機位置から突出位置へ上昇
（４）可動体ユニット４０の照明を消灯
【００５１】
態様１の演出の場合、図５（Ａ）に示した様な状態で、フルカラー７セグメントＬＥＤ３５による図柄変動状態が表示される。また、態様２の演出では、図１８（Ｃ）に示す様に、フルカラー７セグメントＬＥＤ３５による図柄変動表示（図１８（Ａ））の前方に、蛍光表示管２３により、例えば、「リーチ」のテロップ表示（図１８（Ｂ））が重ねて表示される）。これらの演出は図柄だけによるものである。
【００５２】
これに対し、態様３の演出では、フルカラー７セグメントＬＥＤ３５による図柄変動状態から、突如、演出用可動体４２Ｌ，４２Ｃ，４２Ｒが出現し、照明用ＬＥＤ４８Ｌ，４８Ｃ，４８Ｒが点灯することによりスポットライトを浴びた状態となる。この状態は、物体の動きによる演出となるので、遊技者に対して新鮮な驚きを与える。また、演出用可動体４２Ｌ，４２Ｃ，４２Ｒは下方から迫り上がる様に出現するので、遊技者がその登場を見逃すことがない。さらに、従来のパチンコ機における可動体が上方から降りてくる様に登場していたのとも全く異なり、極めて新鮮な印象を与える。
【００５３】
また、態様４の演出では、上記驚きに加えて、さらに、照明用ＬＥＤ４８Ｌ，４８Ｃ，４８Ｒが点灯することによりスポットライトを浴びた演出用可動体４２Ｌ，４２Ｃ，４２Ｒが踊り出す。しかも、その動作は、バネを利用した揺動動作であるから、平面的ではなく、立体的な動きとなる。また、３体が同じ動きをするのではなく、異なる動きをする。この結果、遊技者は、益々、期待感を高める。
【００５４】
一方、態様５の演出では、フルカラー７セグメントＬＥＤ３５による図柄変動状態が一瞬減光され、演出用可動体４２Ｌ，４２Ｃ，４２Ｒが、うっすらと影が動く様に登場し、遊技者に、期待感と残念さといりまじった意外な演出効果を与える。
【００５５】
本実施形態においては、さらに、上記の演出に加えて、サークルレンズ８０の点灯、点滅、色の変化により、深遠な印象の奥行きの深さを感じさせる演出も併せて実行される。この結果、遊技者は、従来のパチンコ機にはない、幽玄な世界に遊ぶ様な時空間を越えた遊技を楽しむことができる。
【００５６】
以上の様に、本実施形態によれば、新鮮で奥深く、幽玄の世界に遊ぶ様な印象を与える演出、可動体によるダイナミックな動作による躍動感を与える演出、可動体のライトアップによる突発的な演出など、従来のパチンコ機にはない斬新かつ新鮮な演出効果が発揮され、より一層、遊技性の高いパチンコ機を提供することができる。
【００５７】
以上、発明を実施するための最良の形態としての一実施形態を説明したが、本発明は、これに限定されるものではなく、その要旨を逸脱しない範囲内における種々の変更が可能である。
【００５８】
例えば、第１の表示器及び第２の表示器として、液晶表示装置を採用したり、両方とも同じ種類の表示器としたり、光を放つタイプの表示器であれば、種々のものを用いることができる。
【００５９】
加えて、第１の表示器及び第２の表示器は、いずれか一方だけを備える様に変更することもできる。この場合も、可動体が下方から出現するというかつてない演出との組み合わせによる新鮮さ、斬新さ、ダイナミックさが発揮できるからである。
【００６０】
また、演出の態様も、上述した態様１〜態様５に限るものではなく、例えば、態様３〜５において、７セグメントＬＥＤ表示ユニット３０を点灯させた状態となっているが、減光するようにしても良い。この場合、態様３，４では、演出用可動体４２Ｌ，４２Ｃ，４２Ｒの動作状況が、より明確に見える様になる。さらに、例えば、態様５の状態で可動体ユニット４０の照明を消灯にした演出も、影の出現だけでなく、影がさらに動き回るという新しい演出効果を発揮するものとして本発明を実施する上で採用し得るものである。
【００６１】
また、演出用可動体は、単数又は複数で構成することもできる。さらに、演出用可動体が３体の場合、例えば、左の可動体は左右に揺動させ、中央の可動体は上下に揺動させ、右の可動体は前後に揺動させるようにして、３体とも異なる動作を行わせることもできる。
【図面の簡単な説明】
【００６２】
【図１】実施形態のパチンコ機の遊技盤を示す正面図である。
【図２】実施形態の情報表示装置を一部断面で示す斜視図である。
【図３】実施形態の情報表示装置の縦断面図である。
【図４】実施形態の情報表示装置における蛍光表示ユニットを示し、（Ａ）は側面図、（Ｂ）は平面図である。
【図５】実施形態の情報表示装置における７セグメントＬＥＤ表示ユニットを示し、（Ａ）は正面図、（Ｂ）は左側面図である。
【図６】実施形態の情報表示装置における可動体ユニットを示し、（Ａ）は平面図、（Ｂ）は正面図である。
【図７】実施形態の情報表示装置における可動体ユニットの構造を示す斜視図である。
【図８】実施形態の情報表示装置における可動体ユニットの構造を示す斜視図である。
【図９】実施形態の情報表示装置における可動体ユニットの昇降動作を示す斜視図である。
【図１０】実施形態の情報表示装置における可動体ユニットの昇降動作における上昇時の原位置の検出状況を示す斜視図である。
【図１１】実施形態の情報表示装置における可動体ユニットの昇降動作における下降時の原位置の検出状況を示す斜視図である。
【図１２】実施形態の情報表示装置における可動体ユニットの演出可動体（左）の駆動動作を示す斜視図である。
【図１３】実施形態の情報表示装置における可動体ユニットの演出可動体（右）の駆動動作を示す斜視図である。
【図１４】実施形態の情報表示装置における可動体ユニットの演出可動体（中）の駆動動作を示す斜視図である。
【図１５】実施形態の情報表示装置における可動体ユニットの駆動時の原位置の検出状況を示す斜視図である。
【図１６】実施形態の情報表示装置におけるサークルレンズの正面図である。
【図１７】実施形態の情報表示装置における演出態様の種類を示す説明図である。
【図１８】実施形態の情報表示装置における態様２の表示状況を示す説明図である。
【符号の説明】
【００６３】
１・・・遊技盤
３・・・情報表示装置
２０・・・蛍光表示ユニット
２１・・・ケース
２２・・・蛍光表示ユニット基板
２３・・・蛍光表示管
２４・・・カバー
３０・・・７セグメントＬＥＤ表示ユニット
３１・・・本体ケース
３２・・・ハーフミラー
３３・・・演出表示制御基板
３４・・・演出表示ドライバー基板
３５・・・フルカラー７セグメントＬＥＤ
３６・・・演出表示７セグメントＬＥＤ基板
４０・・・可動体ユニット
４１・・・ケース
４２Ｌ，４２Ｃ，４２Ｒ・・・演出用可動体
４３Ｕ・・・演出用可動体昇降用モータ原位置上スイッチ
４３Ｄ・・・演出用可動体昇降用モータ原位置下スイッチ
４４・・・演出用可動体昇降用モータ
４５・・・演出用可動体駆動用モータ
４６・・・演出用可動体昇降用モータ原位置スイッチ基板
４７・・・演出用可動体駆動用モータ原位置スイッチ基板
４８Ｌ，４８Ｃ，４８Ｒ・・・照明用ＬＥＤ
４９ａ・・・係合突起
４９ｂ・・・ビス留め部
４９ｃ・・・係合爪
５１・・・遮光板前
５２・・・駆動ギア前
５３・・・可動ギア前
５４・・・シャフト前
５５Ｌ，５５Ｃ，５５Ｒ・・・レバー
５６・・・光検出部
６１・・・駆動ギア奧
６２・・・可動ギア奧
６３・・・シャフト奧
６４Ｌ，６４Ｃ，６４Ｒ・・・突起部
６５Ｌ，６５Ｃ，６５Ｒ・・・アーム
６６Ｌ，６６Ｒ・・・コイルバネ
６７Ｌ，６７Ｒ・・・板バネ
６８・・・ピン
６９・・・コイルバネ
７１・・・遮光板奧
７２・・・光検出部
７３・・・演出用可動体駆動用モータ原位置スイッチ
８０・・・サークルレンズ
８１・・・円筒部
８２・・・ミラー
８３・・・ハーフミラー
８４・・・サークルレンズ枠
８５Ｌ，８５Ｒ・・・ＬＥＤ基板
８６・・・ＬＥＤランプ
８７・・・レンズ部材
【図１】
0004704169.tif 000002
【図２】
0004704169.tif 000003
【図３】
0004704169.tif 000004
【図４】
0004704169.tif 000005
【図５】
0004704169.tif 000006
【図６】
0004704169.tif 000007
【図７】
0004704169.tif 000008
【図８】
0004704169.tif 000009
【図９】
0004704169.tif 000010
【図１０】
0004704169.tif 000011
【図１１】
0004704169.tif 000012
【図１２】
0004704169.tif 000013
【図１３】
0004704169.tif 000014
【図１４】
0004704169.tif 000015
【図１５】
0004704169.tif 000016
【図１６】
0004704169.tif 000017
【図１７】
0004704169.tif 000018
【図１８】
0004704169.tif 000019